(57)【要約】      （修正有）【課題】折り畳んだ後に段ボールが立ち上がることがなく、通い箱を畳んで重ねても荷崩れしないようになるカートンの通い箱の提供。【解決手段】外側に段の高さが高いフルートの段ボールを配置し、内側に段の低いフルートの段ボールを配置する複両面段ボールを材料として段ボール箱を作ることで、使用後の空の段ボール箱が折り畳みやすくなる。ティシュペーパー用カートンの通い箱は、例えばＢＡフルートの段ボール箱により構成する。【選択図】図１
0003130825.tif 000002
【実用新案登録請求の範囲】
【請求項１】
箱の外側に第一段ボールと、
前記箱の内側に段の高さが前記第一段ボールより低いフルートで形成された第二段ボールと、
を配置した複両面段ボールから構成されてなるティシュペーパー用カートンの通い箱。
【請求項２】
１箇所が継ぎしろ部にて接続され、互いに連なった対向する２組の壁面部と、
それぞれの前記壁面部の両端にフラップとを備え、
前記フラップによって形成された天面及び底面と、前記壁面部とによって前記箱が形成された請求項１に記載のティシュペーパー用カートンの通い箱。
【請求項３】
前記壁面部間が折り曲げられて畳まれることにより、繰り返し使用される通い箱として利用される請求項１又は２に記載のティシュペーパー用カートンの通い箱。
【考案の詳細な説明】
【技術分野】
【０００１】
本考案は、通い箱として一般的に使用されているティシュペーパー用カートンの通い箱の改良に関するものである。
【背景技術】
【０００２】
従来、外装用の段ボール箱には、複両面段ボールが使用される。その段ボールの構造は、ＡＢフルート、ＡＣフルート、ＡＡフルートなどがあるが、通い箱のように複数回使用する段ボール箱については、箱の強度の問題もあり、ＡＢフルート構造の段ボール箱が、よく使われている（非特許文献１を参照）。
【０００３】
また、ＡフルートとＢフルートを比較すると、Ｂフルートのほうが表面強度が強いため、印刷適性が高く、ＡＢフルートの段ボールで箱を作る場合、Ｂフルートを外側にして作製することが一般的である。
【０００４】
折り畳んだ段ボール箱のフラップ部分の重なった部分を潰すことにより、折り畳んだ状態で段ボール表面の凹凸をなくすことによって、段ボール箱の堆積山が荷崩れをしないようにした発明が開示されている（特許文献１を参照）。
【０００５】
【非特許文献１】ペーパー・セールス・エンジニアリング・シリーズ「パッケージ２００４」紙業タイムス社（２００４年３月２５日発行）１６４頁〜１６７頁
【特許文献１】特開２００２−８７４２３号公報
【考案の開示】
【考案が解決しようとする課題】
【０００６】
繰り返し使用される通い箱で、使用後に段ボール箱を折り畳んだ際、従来から広く用いられているＡフルートを内側にし、Ｂフルートを外側にした通い箱では、折り畳んだ段ボール箱が立って、畳みにくくなる問題が存在した。オートメーション化された空の通い箱の回収部分では、通い箱が立ち上がり、うまく畳まれないことで、荷崩れを起こすなどの問題があった。
【課題を解決するための手段】
【０００７】
上記課題を達成するため、本考案者らは外側にＡフルートを配置し、内側にＢフルートを配置するティシュペーパー用カートンの通い箱を考案した。本考案により以下のティシュペーパー用カートンの通い箱が提供される。
【０００８】
［１］箱の外側に第一段ボールと、前記箱の内側に段の高さが前記第一段ボールより低いフルートで形成された第二段ボールと、を配置した複両面段ボールから構成されてなるティシュペーパー用カートンの通い箱。
【０００９】
［２］１箇所が継ぎしろ部にて接続され、互いに連なった対向する２組の壁面部と、それぞれの前記壁面部の両端にフラップとを備え、前記フラップによって形成された天面及び底面と、前記壁面部とによって前記箱が形成された前記［１］に記載のティシュペーパー用カートンの通い箱。
【００１０】
［３］前記壁面部間が折り曲げられて畳まれることにより、繰り返し使用される通い箱として利用される前記［１］又は［２］に記載のティシュペーパー用カートンの通い箱。
【考案の効果】
【００１１】
外側に段の高さが高いフルートの段ボールを配置し、内側に段の高さが低いフルートの段ボールを配置する複両面段ボールを材料として通い箱を作ることで、使用後の空の通い箱で折り畳みやすい通い箱が得られる。
【００１２】
ＢＡフルートの段ボール箱とすることで、折り畳んだ後に段ボールが立ち上がることがなく、通い箱を畳んで重ねても荷崩れしないようになる。
【考案を実施するための最良の形態】
【００１３】
以下、図面を参照しつつ本考案の実施の形態について説明する。本考案は、以下の実施の形態に限定されるものではなく、考案の範囲を逸脱しない限りにおいて、変更、修正、改良を加え得るものである。
【００１４】
図１は、Ａフルートを外側、Ｂフルートを内側にしたＢＡフルートの複両面段ボールでティシュペーパー用カートンの通い箱１０を作り、内フラップ３０及び外フラップ３１を開いて折り畳む状態の図である。Ｂフルートが内側にあるため、折り畳みやすくなっている。
【００１５】
図２に、ティシュペーパー用カートンの通い箱１０の展開図を示す。第一壁面部２１、第二壁面部２２、第三壁面部２３、第四壁面部２４が連なり、第四壁面部２４には、第一壁面部２１と結合するための継ぎしろ部２５を備える。第一壁面部２１と第三壁面部２３の上下には、底面と天面の構成要素となる内フラップ３０を備え、第二壁面部２２と第四壁面部２４の上下には、底面と天面の構成要素となる外フラップ３１を備える。段ボール箱の構造は、Ａ型の段ボールであり、第一壁面部２１ないし第四壁面部２４で段ボール箱の側面の四面を形成し、内フラップ３０と外フラップ３１とで段ボール箱の底面と天面を形成する。
【００１６】
図３（ａ）に、ティシュペーパー用カートンの通い箱１０を使用しているときの図を示す。内フラップ３０と外フラップ３１を開き、ティシュペーパー用カートンの通い箱１０に収納物であるティシュペーパー用カートン３５を入れ、内フラップ３０と外フラップ３１を閉じる。図３（ｂ）に内フラップ３０と外フラップ３１を閉めた図を示す。段ボール箱を通い箱１０として用いる場合は、内フラップ３０と外フラップ３１を糊付けなどにより固定することはせず、結束バンドなどにより、底面と天面が開かないように縛り、外フラップ３１を固定する。通い箱１０の大きさは、（４６５×３３５×１８０）ｍｍで、内容物は、一枚当たり３５ｇのティシュペーパー用カートンが３００枚入り、重さは約１０．５ｋｇとなる。通い箱１０の重さが０．８ｋｇであり、総重量は約１１．３ｋｇとなる。この内容物を繰り返し運ぶため、通い箱１０が利用される。
【００１７】
図４に、通い箱１０を折り畳んだ図を示す。通い箱１０をＢフルートを内側にしたＢＡフルートの複両面段ボール箱とすれば、折り畳んだときに通い箱１０が起き上がらず、綺麗に畳まれる。
【００１８】
図５（ａ）は、ＡＢフルートの段ボール箱を折り畳んだときの折り目部分の拡大図であり、図５（ｂ）は、ＢＡフルートの段ボール箱を折り畳んだときの折り目部分の拡大図である。ＡＢフルートの段ボール箱では、Ａフルートが内側にあり、Ｂフルートが外側にあるため、折り畳み部分で段ボールが立ち上がりやすいのに対し、ＢＡフルートの段ボール箱では、Ｂフルートが内側にあり、Ａフルートが外側にあるため、折り畳み部分で段ボールが立ち上がりにくくなる。すなわち、本考案のティシュペーパー用カートンの通い箱１０を用いれば、使用後に通い箱１０を折り畳んだときに、綺麗に折り畳まれ、段ボールが立ち上がり、嵩張ることはない。また、オートメーション化されたシステムの中でも通い箱１０が嵩張らないことで、荷崩れを起こさず、スムーズに作業が行える。
【００１９】
Ａフルートの両面段ボールの構造は、段の高さが、４．５〜４．８ｍｍで、３０ｃｍ当たりの標準山数が３４±２である。Ａフルートの段ボールは、緩衝性に優れ、さらに圧縮強さがＢフルートよりも強いため、外装用段ボール箱の９割がＡフルートの段ボールから作られている。
【００２０】
Ｂフルートの両面段ボールの構造は、段の高さが２．５〜２．８ｍｍで、３０ｃｍ当たりの標準山数が５０±２である。Ｂフルートの段ボールは、平面圧力が強いので、内容品が硬い瓶、缶詰などの包装に適している。
【００２１】
ＡＢフルートの複両面段ボールは、Ａフルートの両面段ボールとＢフルートの両面段ボールが張り合わされた構造をしている。外装用段ボールとして使用する場合は、Ｂフルート側が、平面圧力が強く、印刷に適しているため、Ｂフルート側を外側にし、Ａフルート側を内側にして段ボール箱を作られることが多い。ＡフルートとＢフルートの段ボール箱で説明しているが、本考案のティシュペーパー用カートンの通い箱１０は、ＢＡフルートの複両面段ボール箱に限定されるものではなく、段の高さが高いフルートの第一段ボールを外側、段の高さが低いフルートの第二段ボールを内側にした複両面段ボール箱であれば、使用後に段ボール箱を折り畳みやすく、本考案の目的が達成される。
【００２２】
段の高さが４．５〜４．８ｍｍで、３０ｃｍ当たりの標準山数が３４±２であるＡフルートと、段の高さが２．５〜２．８ｍｍで、３０ｃｍ当たりの標準山数が５０±２であるＢフルートとから複両面段ボールを作製し、この段ボールをＡフルートが外側に、Ｂフルートが内側になる形で段ボール箱を作製する。この場合、段の高さが低く、山の数が多い面が内側となり、段ボールを折り曲げる際に曲げやすくなる。
【００２３】
段ボールの段の種類は、Ａフルート、Ｂフルートの他に、Ｃフルート（段の高さ：３．５〜３．８ｍｍ、標準山数：４０±２）、Ｅフルート（段の高さ：１．２０ｍｍ、標準山数：９３）、Ｆフルート（段の高さ：０．７５ｍｍ、標準山数：１２５）、Ｇフルート（段の高さ：０．５５ｍｍ、標準山数：１６７）などがあり、使用する目的の応じてどのフルートの段ボールを使用するか適宜選択するとよい。
【００２４】
通い箱１０のように何度も使用される段ボール箱には、ＡフルートとＢフルートの組み合わせが通常使われ、従来は段ボールの表面が綺麗な事や印刷に適していることから、Ａフルートを内側にし、Ｂフルートを外側にする使い方が一般的であった。
【００２５】
今回、通い箱１０としてＡフルートを外側、Ｂフルートを内側に配置した段ボール箱を示したが、通い箱１０ではなくても、段ボール箱の使用後に綺麗に折り畳む段ボール箱を必要とするならば、段の高さが高く標準山数の少ない段ボールを外側とし、段の高さが低く標準山数が多い段ボールを内側とすればよい。例えばＥフルートとＦフルートの段ボールで複両面段ボールを作り、折り畳みやすくするには、Ｅフルートを内側にし、Ｆフルートを外側にすればよい。
【００２６】
Ａフルートを外側、Ｂフルートを内側とすることで、段ボールに折り目が付けやすくなり、この段ボール箱で通い箱１０を作製すると、使用後の空の通い箱１０を回収する際に、使用開始初回から容易に折り畳まれ、嵩張ることによる荷崩れの問題がなくなる。
【００２７】
空の通い箱１０の回収をオートメーション化した場合、従来の通い箱では、綺麗に折り畳まれずに段ボール箱が立ち上がり、嵩張りができ、荷崩れを起こす問題があったが、本考案のティシュペーパー用カートンの通い箱１０を使用することにより、空の通い箱１０は、きれいに折り畳まれ、フラットな状態となるため、嵩張らず、回収搬送ライン上でスムーズに回収される。
【００２８】
空の通い箱１０がフラットな形で回収できることにより、オートメーション設備の搬送ラインをコンパクト化することが可能になり、使用後の通い箱１０の回収効率が向上するだけでなく、オートメーションラインのスムーズな作業を可能とし、作業の効率化が得られる。また、回収装置の運転効率を従来の５０〜６０％から８０〜９０％に向上することができる。
【００２９】
通い箱１０を使用後は、底面と天面の外フラップ３１と内フラップ３０を開き、筒状とした後、折り畳み、通い箱１０として再使用する。
【００３０】
本考案の通い箱１０の繰り返し使用回数は、従来の１５回程度に比べて２０〜３０回程度に向上し、Ａフルートを外側にし、Ｂフルートを内側にしたことによる段ボールの脆弱化はない。
【産業上の利用可能性】
【００３１】
本考案のティシュペーパー用カートンの通い箱１０を使用することで、従来、空の通い箱１０を折り畳んだ際に嵩張っていた段ボールが、嵩張らずに綺麗に折り畳まれ、オートメーション化されたシステムのなかで、通い箱１０を自動的に回収し、折り畳み、積んでいく工程で、通い箱１０の嵩張りによる荷崩れを防止し、オートメーションシステムのスムーズな稼動が可能となる。
【図面の簡単な説明】
【００３２】
【図１】通い箱を畳む途中の模式図である。
【図２】通い箱の展開図である。
【図３】通い箱の使用時の模式図である。
【図４】通い箱を畳んだ時の模式図である。
【図５】通い箱の折り畳み部分の拡大図である。
【符号の説明】
【００３３】
１：Ａフルート段ボール、２：Ｂフルート段ボール、３：ＢＡフルート複両面段ボール、１０：通い箱、２１：第一壁面部、２２：第二壁面部、２３：第三壁面部、２４：第四壁面部、２５：継ぎしろ部、３０：内フラップ、３１：外フラップ、３５：ティシュペーパー用カートン。
【図１】
0003130825.tif 000003
【図２】
0003130825.tif 000004
【図３】
0003130825.tif 000005
【図４】
0003130825.tif 000006
【図５】
0003130825.tif 000007